(57)【要約】【課題】より多くの種類のサブコネクタのフレームへの誤組み付けを検出できるコネクタシステムを提供すること。【解決手段】複数のサブコネクタ１０と、複数のサブコネクタ収容室６０を有してなるフレーム５０とを有し、サブコネクタ側ガイド部２２と、フレーム側ガイド部６４とによって各サブコネクタ１０が各サブコネクタ収容室６０に収容されるコネクタシステム１において、各サブコネクタ１０は、上下方向でサブコネクタ側ガイド部２２の位置から前方向に延出されてなる延出基部３１と、延出基部３１から上下方向に立設されたサブコネクタ側当接部３２ａとを含む延出部３０を有してなり、フレーム５０は、フレーム側ガイド部６４がサブコネクタ挿入側端５０ａよりも後方に形成され、誤組み付けされた場合、サブコネクタ１０がサブコネクタ収容室６０の保持位置に挿入される前にサブコネクタ側当接部３２に当接されるフレーム側当接部７０を有してなる。【選択図】図１
2012182061.tif 000002
【特許請求の範囲】
【請求項１】
端子収容室を有してなる複数のサブコネクタと、各サブコネクタを収容する複数のサブコネクタ収容室を有してなるフレームとを有し、各サブコネクタの両側壁外面に設けられたサブコネクタ側ガイド部と、各サブコネクタ収容室の両側壁内面に設けられたフレーム側ガイド部とによって各サブコネクタが前後方向にガイドされて各サブコネクタ収容室に収容されるコネクタシステムにおいて、
前記各サブコネクタは、
側壁の端子挿入側端の上下方向で前記サブコネクタ側ガイド部の位置から前方向に延出されてなる延出基部と、前記延出基部から上下方向に立設された壁からなるサブコネクタ側当接部と、を含む延出部を有してなり、
前記フレームは、
前記サブコネクタ側当接部が前記サブコネクタ収容室内に収容可能に、前記フレーム側ガイド部が前記サブコネクタ挿入側端よりも後方に形成され、
前記サブコネクタが誤組み付けされた場合、該サブコネクタが前記サブコネクタ収容室の保持位置に挿入される前に前記サブコネクタ側当接部に当接されるフレーム側当接部を有してなることを特徴とするコネクタシステム。
【請求項２】
前記サブコネクタは、
該サブコネクタの上面または下面と一体的に前記サブコネクタの側壁上部、あるいは側壁下部から外側に突出して設けられてなる側壁外面側リブを有してなり、
前記延出部は、
該延出基部の上縁、あるいは下縁で前記側壁外面側リブに一体的に繋がるリブ延在部を有してなることを特徴とする請求項１に記載のコネクタシステム。
【発明の詳細な説明】
【技術分野】
【０００１】
本発明は、サブコネクタとサブコネクタを集約して配置するフレームとを有してなるコネクタシステムに関する。
【背景技術】
【０００２】
従来、サブコネクタと、複数のサブコネクタを集約して配置するフレームとを有してなるコネクタシステムが提案されている（例えば、特許文献１参照）。
【０００３】
この特許文献１に記載されたコネクタシステムは、サブコネクタの側壁の前方端部近傍に、係止ランスとして機能する可撓ロックが斜め外側を向いて前方向に所定長さだけ延出し、可撓ロックの外側の面は、前方ほど側壁部に徐々に近づき、可撓ロックの外側の面には、階段状のサブコネクタグリップ部が形成され、サブコネクタ解除冶具が挿入された際、このサブコネクタグリップに、サブコネクタ解除冶具の先端部の冶具グリップが当接して引っ掛かるようになっている。
【先行技術文献】
【特許文献】
【０００４】
【特許文献１】特開２０１０−２６７３９３号公報
【発明の概要】
【発明が解決しようとする課題】
【０００５】
ところで、このようなコネクタシステムは、サブコネクタ毎に品番が割り当てられ、フレームには、各品番のサブコネクタに対応した複数のサブコネクタ収容室が設けられている。
このようなサブコネクタシステムでは、各サブコネクタが対応しないサブコネクタ収容室に収容されないように対策がなされる。具体的には、図１０に示すように、サブコネクタ２００の各箇所にリブ等のサブコネクタ側当接部２０１を上下面および両側壁外面に設け、このサブコネクタ側当接部２０１に対応した位置にフレーム側当接部３０２を設けている。これにより、サブコネクタ２００が対応するサブコネクタ収容室３０１に挿入されなかった場合、サブコネクタ側当接部２０１とフレーム側当接部３０２とが当接して、サブコネクタ２００がフレーム３００のサブコネクタ収容室３０１の保持位置まで挿入されないようにしている。
【０００６】
しかしながら、上述したような従来のコネクタシステムでは、サブコネクタ１００がサブコネクタ収容室内３０１にガイドされるように両側壁外面にリブ等のガイド部２０２を設ける必要があるため、サブコネクタ側当接部２０１の配置、大きさ等は限られ、サブコネクタ側当接部２０１の配置、大きさの組み合わせパターンが少ない種類に限定され、結果的にフレームへの誤組み付けを検出することができるサブコネクタ２００の種類が少ない種類に限定されてしまうという問題があった。
【０００７】
本発明は、上記に鑑みてなされたものであって、より多くの種類のサブコネクタのフレームへの誤組み付けを検出できるコネクタシステムを提供することを目的とする。
【課題を解決するための手段】
【０００８】
上述した課題を解決し、目的を達成するために、本発明の請求項１にかかるコネクタシステムは、端子収容室を有してなる複数のサブコネクタと、各サブコネクタを収容する複数のサブコネクタ収容室を有してなるフレームとを有し、各サブコネクタの両側壁外面に設けられたサブコネクタ側ガイド部と、各サブコネクタ収容室の両側壁内面に設けられたフレーム側ガイド部とによって各サブコネクタが前後方向にガイドされて各サブコネクタ収容室に収容されるコネクタシステムにおいて、前記各サブコネクタは、側壁の端子挿入側端の上下方向で前記サブコネクタ側ガイド部の位置から前方向に延出されてなる延出基部と、前記延出基部から上下方向に立設された壁からなるサブコネクタ側当接部と、を含む延出部を有してなり、前記フレームは、前記サブコネクタ側当接部が前記サブコネクタ収容室内に収容可能に、前記フレーム側ガイド部が前記サブコネクタ挿入側端よりも後方に形成され、前記サブコネクタが誤組み付けされた場合、該サブコネクタが前記サブコネクタ収容室の保持位置に挿入される前に前記サブコネクタ側当接部に当接されるフレーム側当接部を有してなることを特徴とする。
【０００９】
また、本発明の請求項２にかかるコネクタシステムは、上記の発明において、前記サブコネクタは、該サブコネクタの上面または下面と一体的に前記サブコネクタの側壁上部、あるいは側壁下部から外側に突出して設けられてなる側壁外面側リブを有してなり、前記延出部は、該延出基部の上縁、あるいは下縁で前記側壁外面側リブに一体的に繋がるリブ延在部を有してなることを特徴とする。
【発明の効果】
【００１０】
本発明の請求項１にかかるコネクタシステムは、各サブコネクタは、側壁の端子挿入側端の上下方向でサブコネクタ側ガイド部の位置から前方向に延出されてなる延出基部と、延出基部から上下方向に立設された壁からなるサブコネクタ側当接部と、を含む延出部を有してなり、フレームは、サブコネクタ側当接部がサブコネクタ収容室内に収容可能に、フレーム側ガイド部がサブコネクタ挿入側端よりも後方に形成され、サブコネクタが誤組み付けされた場合、サブコネクタがサブコネクタ収容室の保持位置に挿入される前にサブコネクタ側当接部に当接されるフレーム側当接部を有してなるので、上下方向でサブコネクタ収容室の上下面からサブコネクタ側ガイド部までの範囲に効率的にサブコネクタ側当接部を設けることができ、サブコネクタ側当接部の配置パターン種を増やすことができるので、結果的に、より多くの種類のサブコネクタのフレームへの誤組み付けを検出できる。
【００１１】
本発明の請求項２にかかるコネクタシステムは、上述した請求項１と同様の効果を奏するとともに、前記サブコネクタが前記延出基部の上縁、あるいは下縁で前記側壁外面側リブに一体的に繋がるリブ延在部を有してなるので、前記側壁外面側リブの強度を向上させることができる。
【図面の簡単な説明】
【００１２】
【図１】図１は、本発明の実施の形態にかかるコネクタシステムの全体構成を示した斜視図である。
【図２】図２は、図１に示した種類の異なる三つのサブコネクタの拡大斜視図である。
【図３】図３は、図１に示したサブコネクタの要部断面図である。
【図４】図４は、図１に示したコネクタシステムを後方から視た斜視図である。
【図５】図５は、図１に示したサブコネクタにテープで電線を固定させた状態を示した図である。
【図６】図６は、図１に示したフレームの拡大斜視図である。
【図７】図７は、三つのサブコネクタが誤組み付けされた状態を説明するための図である。
【図８】図８は、サブコネクタの変形例を示したものである。
【図９】図９は、サブコネクタの変形例を示したものである。
【図１０】図１０は、従来技術を説明するための図である。
【発明を実施するための形態】
【００１３】
以下、図面を参照して、本発明にかかるコネクタシステムの好適な実施の形態を詳細に説明する。
【００１４】
（実施の形態）
図１は、本発明の実施の形態にかかるコネクタシステム１の全体構成を示した斜視図である。便宜上、図中矢印方向を上下方向、左右方向、前後方向とする。
本発明にかかる実施の形態にかかるコネクタシステム１は、図１に示すように、三つのサブコネクタ１０および三つのサブコネクタ１０を集約して配置するフレーム５０有してなる。本発明の実施の形態にかかるコネクタシステム１は、フレーム５０が三つのサブコネコネクタ収容室６０を有し、各サブコネコネクタ収容室６０にサブコネクタ１０が収容されることによって、三つのサブコネクタ１０が集約して配置されるようになっている。
【００１５】
まず、図２−図５を用いてサブコネクタ１０について説明する。
図２は、図１に示した種類の異なる三つのサブコネクタ１０の拡大斜視図である。なお、図２（ａ）に示したサブコネクタを一型サブコネクタ１１と称し、図２（ｂ）に示したサブコネクタを二型サブコネクタ１２と称し、図２（ｃ）に示したサブコネクタを三型サブコネクタ１３と称する。
図３は、図１に示したサブコネクタ１０の要部断面図である。図４は、図１に示したコネクタシステム１を後方から視た斜視図である。図５は、図１に示したサブコネクタ１０にテープＴで電線Ｗを固定させた状態を示した図である。
【００１６】
各サブコネクタ１０は、図２に示すように、本体部２０および延出部３０を有してなる。
本体部２０は、前後両面が開口された箱型形状であり、内部に複数の雌端子８０を収容するものである。本体部２０は、十室の端子収容室２１およびサブコネクタ側ガイド部２２を有してなる。
端子収容室２１は、雌端子８０を保持収容する室である。この端子収容室２１は、図３に示すように、各端子収容室２１後端部の内面上側から突出されたランス部２１ａを有してなる。各雌端子８０は、このランス部２１ａに係止されることによって、各端子収容室２１内で保持されるようになっている。また、各端子収容室２１内の各雌端子８０は、本体部２０後端面の開口を介して、他の端子と電気的に接続可能になっている。
【００１７】
サブコネクタ側ガイド部２２は、各サブコネクタ１０を後述する各サブコネクタ収容室６０に収容する際にガイドとして機能するものである。このサブコネクタ側ガイド部２２は、図２に示すように、本体部２０の各側壁外面２０ａａに前後方向に沿って平行に延びる一対のリブ状突起２２ａ，２２ｂである。
すなわち、サブコネクタ１０は、後述のフレーム側ガイド部６４の一対のリブ状突起６４ａ，６４ｂをサブコネクタ側ガイド部２２の一対のリブ状突起２２ａ，２２ｂの内側にし、サブコネクタ側ガイド部２２とフレーム側ガイド部６４とを摺接させながらサブコネクタ収容室６０内の保持位置にガイドされるようになっている。
【００１８】
また、本体部２０は、サブコネクタ側ガイド部２２の一対のリブ状突起２２ａ，２２ｂの間にサブコネクタ側係止部２０ｂを有してなる。このサブコネクタ側係止部２０ｂと、後述のフレーム側係止部６５とが係合することによって、サブコネクタ１０がサブコネクタ収容室６０内の保持位置で係止されるようになっている。
【００１９】
また、本体部２０は、側壁外面側リブ２０ｃあるいは上下面側リブ２０ｄを有してなる。
側壁外面側リブ２０ｃは、誤組み付け検出のためのリブである。この側壁外面側リブ２０ｃは、本体部２０の側壁２０ａ上部、あるいは側壁２０ａ下部に本体部２０の上面２０ｆまたは下面２０ｇと一体的に外側に突出して設けられてなる。また、側壁外面側リブ２０ｃは、サブコネクタ側ガイド部２２に干渉しないような厚みに設定されている。
上下面側リブ２０ｄは、本体部２０の上面あるいは下面から上方あるいは下方に突出して設けられた誤組み付け検出のためのリブである。
【００２０】
次に、延出部３０について説明する。
延出部３０は、本体部２０の左側壁２０ａの端子挿入側端２０ｅから延出してなり、延出基部３１、サブコネクタ側当接部３２、および指当て部３３を有してなる。
延出基部３１は、左側壁２０ａの端子挿入側端２０ｅの上下方向でサブコネクタ側ガイド部２２の位置から前方向に延出されてなる。また、延出基部３１は、上下方向で、幅が前記サブコネクタ側ガイド部２２の幅とほぼ等しく形成されてなる。
当接基部３２ａは、延出基部３１から上方に向けて立設された上側当接基部３２ａａと、延出基部３１から下方に向けて立設された下側当接基部３２ａｂとを有してなる。このサブコネクタ側当接部３２は、フレーム５０に設けられた誤組み付け検出のためのリブ（以下、フレーム側当接部７０という。）に当接されることによって、誤組みつけ検出機能をなす。
このように、サブコネクタ１０に側壁外面側リブ２０ｃ、上下面側リブ２０ｄ、さらには延出部３０が設けられることによって複数種のサブコネクタ１０の誤組み付けの検出ができるようになっている。
【００２１】
ここで、図２を用いて三つのサブコネクタ１０についてより具体的に説明する。
一型サブコネクタ１１は、図２（ａ）に示すように、下側当接基部３２ａｂの左右方向の厚みが、本体部２０の側壁外面２０ａａからフレーム５０の側壁５３の内面近傍まで形成されてなる。このような一型サブコネクタ１１は、フレーム５０に誤組み付けされた場合、左右方向のサブコネクタ１０の本体部２０の側壁外面２０ａａからフレーム５０の側壁５３の内面までの間に設けられたフレーム側当接部７０に当接される。
また、二型サブコネクタ１２は、図２（ｂ）に示すように、下側当接基部３２ａｂが左右方向で、下側当接基部３２ａｂの内面と、本体部２０の側壁外面２０ａａとの間に段差形状の肉抜け部３４を有してなる。このような二型サブコネクタ１２を用いた場合、この肉抜け部３４を通り下側当接基部３２ａｂに当接されないフレーム側当接部７０、あるいは下側当接基部３２ａｂに当接するようなフレーム側当接部７０がフレーム５０に形成される。
また、三型サブコネクタ１３は、図２（ｃ）に示すように、上側当接基部３２ａａが左右方向で、上側当接基部３２ａａの内面と、本体部２０の側壁外面２０ａａとの間に肉抜け部３４を有してなる。このような三型サブコネクタ１３は、フレーム５０にこの肉抜け部３４を通り上側当接基部３２ａａに当接されないフレーム側当接部７０、あるいは上側当接基部３２ａａに当接するようなフレーム側当接部７０がフレーム５０に形成される。
【００２２】
次に、リブ延在部３２ｂについて説明する。リブ延在部３２ｂは、側壁外面側リブ２０ｃが延出部３０に沿って前方に延出された部分である。より具体的には、リブ延在部３２ｂは、延出基部３１の上縁３１ａ、あるいは下縁３１ｂで、側壁外面側リブ２０ｃに一体的に繋がる部分である。これにより、側壁外面側リブ２０ｃは、上下方向の厚みがサブコネクタ側ガイド部２２に接しないような厚みに設定されその強度を上げることが難しいものの、延出基部３１と一体的に繋がることによって、強度を向上させることができるようになっている。
なお、本発明の実施の形態では、一型サブコネクタ１１および二型サブコネクタ１２は、本体部２０の左側上部に側壁外面側リブ２０ｃが設けられているので、この側壁外面側リブ２０ｃに繋がるリブ延在部３２ｂを有している。
また、この三型サブコネクタ１３は、本体部２０の左側下部に側壁外面側リブ２０ｃが設けられているので、この側壁外面側リブ２０ｃに繋がるリブ延在部２０ｃを有している。
【００２３】
指当て部３３は、延出部３０の前端部３０ａに外側に向けて突出された突出部である。この指当て部３３は、サブコネクタ１０がサブコネクタ収容室６０内に収容された場合、図４に示すように、フレーム５０のサブコネクタ挿入側端５０ａよりも前側に配置される。このため、指当て部３３をつかむことによって、サブコネクタ１０をサブコネクタ収容室６０外に容易に引き出すことができるようになっている。
【００２４】
なお、このように構成されたサブコネクタは、図５に示すように、雌端子８０に接続された電線Ｗを、テープＴ等によって延出部３０にそって固定させることができる。すなわち、延出部３０が電線Ｗの支持部として利用することができるようになっている。
【００２５】
次に、図６を用いてフレーム５０について説明する。図６は、図１に示したフレーム５０の拡大斜視図である。
フレーム５０は、図６に示すように、前後両面に開口が形成された角筒状をなし、内部に三つのサブコネクタ１０をそれぞれ収容する三つのサブコネクタ収容室６０を有してなる。
各サブコネクタ収容室６０は、フレーム側ガイド部６４およびフレーム側係止部６５を有してなる。
フレーム側ガイド部６４は、サブコネクタ１０をサブコネクタ収容室６０内の保持位置にガイドするものである。このフレーム側ガイド部６４は、両側壁５３の側壁内面５３ａに設けられた前後方向に沿って平行に延びる一対のリブ状突起６４ａ，６４ｂによってなる。サブコネクタ１０は、この一対のリブ状突起６４ａ，６４ｂをサブコネクタ側ガイド部２２の一対のリブ状突起２２ａ，２２ｂの内側にし、サブコネクタ側ガイド部２２とフレーム側ガイド部６４とを摺接させながらサブコネクタ収容室６０内の保持位置にガイドされるようになっている。
【００２６】
また、フレーム側ガイド部６４は、フレーム５０の後端５０ｂから前方に向けて本体部２０の前後方向の幅にほぼ等しい幅で設けられている。すなわち、フレーム側ガイド部６４が、サブコネクタ挿入側端５０ａよりも後方に形成されている。これにより、サブコネクタ側当接部３２がサブコネクタ収容室内に収容可能になっている。
【００２７】
フレーム側係止部６５は、一対のリブ状突起６４ａ，６４ｂの間に設けられ、サブコネクタ側係止部２０ｂと係合することによって、サブコネクタ収容室６０内の保持位置でサブコネクタ１０を係止するものである。
【００２８】
ここで、さらに詳細にフレーム５０について説明する。フレーム５０は、内部が第一の仕切り壁５１および第二の仕切り壁５２によって、上から下に向けて上段収容室６１、中段収容室６２、および下段収容室６３の三つのサブコネクタ収容室６０に仕切られている。
上段収容室６１は、一型サブコネクタ１１を収容するようになっている。すなわち、一型サブコネクタ１１以外のサブコネクタ１０が挿入された場合、誤組み付けであることが検出されるようにフレーム側当接部７０が設けられている。
より具体的には、一型サブコネクタ１１の下側当接基部３２ａｂ、側壁外面側リブ２０ｃ、上下面側リブ２０ｄが当接しないようになっている。さらに具体的には、上段収容室６１の下部左側には、下側当接基部３２ａｂに当接するフレーム側当接部７０が設けられず、かつ上部の左右両側の上壁５４の内面と、フレーム側当接部７０との間に、側壁外面側リブ２０ｃが後方に挿入可能に隙間５６が形成されている。
【００２９】
中段収容室６２は、三型サブコネクタ１３を収容するようになっている。すなわち、三型サブコネクタ１３以外のサブコネクタ１０が挿入された場合、誤組み付けであることが検出されるようにフレーム側当接部７０が設けられている。
より具体的には、三型サブコネクタ１３の上側当接基部３２ａａ、側壁外面側リブ２０ｃ、上下面側リブ２０ｄが当接しないようになっている。さらに具体的には、中段収容室６２の上部左側には、上側当接基部３２ａａに当接するフレーム側当接部７０が設けられず、かつ下部左側の下壁５５の内面と、フレーム側当接部７０との間に、側壁外面側リブ２０ｃが後方に挿入可能に隙間５６が形成されている。
【００３０】
下段収容室６３は、二型サブコネクタ１２を収容するようになっている。すなわち、二型サブコネクタ１２以外のサブコネクタ１０が挿入された場合、誤組み付けであることが検出されるようにフレーム側当接部７０が設けられている。
より具体的には、二型サブコネクタ１２の下側当接基部３２ａｂ、側壁外面側リブ２０ｃ、上下面側リブ２０ｄが当接しないようになっている。さらに具体的には、下段収容室６３の下部左側には、側壁５３とフレーム側当接部７０との間に、下側当接基部３２ａｂが前後方向に挿入可能に、隙間５６が形成されている。また、上部左側の、第二の仕切り壁５２と、フレーム側当接部７０との間に、側壁外面側リブ２０ｃが後方に挿入可能に隙間５６が形成されている。
【００３１】
このようなコネクタシステム１において、例えば、三つのサブコネクタ１０が対応するサブコネクタ収容室６０に正しく挿入されなかった場合、図７に示すように、三つのサブコネクタ１０は、フレーム側当接部７０に当接されることによってフレーム５０の保持位置まで挿入されない状態になる。なお、図７は、三つのサブコネクタ１０が誤組み付けされた状態を説明するための図である。また、図７は、上段収容室６１に三型サブコネクタ１３が挿入され、中段収容室６２に二型サブコネクタ１２が挿入され、下段収容室６３に一型サブコネクタ１１が挿入された状態を示している。
【００３２】
上段収容室６１では、三型サブコネクタ１３の上側当接基部３２ａａが、フレーム側当接部７０と当接されることによって、三型サブコネクタ１３がサブコネクタ収容室６０への挿入途中で後方移動を停止されている。
また、中段収容室６２では、二型サブコネクタ１２の下側当接基部３２ａｂが、フレーム側当接部７０と当接されることによって、サブコネクタ収容室６０への挿入途中で後方移動を停止されている。
また、下段収容室６３では、一型サブコネクタ１１の下側当接基部３２ａｂが、フレーム側当接部７０と当接されることによって、サブコネクタ収容室６０への挿入途中で後方移動を停止されている。
【００３３】
本発明の実施の形態のコネクタシステム１は、各サブコネクタ１０は、側壁２０ａの端子挿入側端２０ｅの上下方向でサブコネクタ側ガイド部２２の位置から前方向に延出されてなる延出基部３１と、延出基部３１から上下方向に立設された壁からなるサブコネクタ側当接部３２と、を含む延出部３０を有してなり、フレーム５０は、サブコネクタ側当接部３２がサブコネクタ収容室６０内に収容可能に、フレーム側ガイド部６４がサブコネクタ挿入側端５０ａよりも後方に形成され、サブコネクタ１０が誤組み付けされた場合、サブコネクタ１０がサブコネクタ収容室６０の保持位置に挿入される前にサブコネクタ側当接部３２に当接されるフレーム側当接部７０を有してなるので、上下方向でサブコネクタ収容室６０の上下面からサブコネクタ側ガイド部２２までの範囲に効率的にサブコネクタ側当接部３２を設けることができ、サブコネクタ側当接部３２の配置パターン種を増やすことができるので、結果的に、より多くの種類のサブコネクタ１０のフレーム５０への誤組み付けを検出できる。
【００３４】
本発明の実施の形態のコネクタシステム１は、雌端子８０に接続された電線ＷをテープＴ等で延出部３０に固定させることによって、延出部３０を電線Ｗの支持部として利用することができる。
【００３５】
また、本発明の実施の形態のコネクタシステム１は、サブコネクタ１０が延出基部３１の上縁３１ａ、あるいは下縁３１ｂで側壁外面側リブ２０ｃに一体的に繋がるリブ延在部３２ｂを有してなるので、側壁外面側リブ２０ｃの強度を向上させることができる。
【００３６】
また、本発明の実施の形態のコネクタシステム１は、延出部３０が延出部３０の前端部３０ａに外側に向けて突出された指当て部３３を有してなるので、サブコネコネクタ収容室６０内からサブコネクタ１０を容易に引き出すことができる。
【００３７】
また、本発明の実施の形態のコネクタシステム１は、延出基部３１が上下方向で、幅がサブコネクタ側ガイド部２２の幅とほぼ等しく形成されてなるので、上下方向でサブコネクタ側ガイド部２２以外の領域を効率的にサブコネクタ側当接部３２として利用することができる。
【００３８】
なお、本発明の実施の形態のコネクタシステム１は、延出部３０がサブコネクタ１０の左側に設けられるものを例示したが、これに限らない。例えば、図８に示すように、延出部３０がサブコネクタ１０の右側に設けられるようにしてもよい。あるいは、図９に示すように、延出部３０がサブコネクタ１０の左右両側に設けられるようにしてもよい。この場合、この実施の形態のコネクタ１の効果をさらに高めることができる。すなわち、サブコネクタ側当接部の配置パターン種をさらに増やすことができる。また、電線Ｗの支持部をさらに増やすことができる。また、左右両側の側壁外面側リブ２０ｃの強度を向上させることができる。あるいは、サブコネクタ１０の両側から均等に力をかけてサブコネクタ１０を引き出すことができるので、さらに容易にサブコネクタ１０を引き出すことができる。
【００３９】
なお、本発明の実施の形態のコネクタシステム１は、サブコネクタ１０が十の雌端子８０を収容するものを例示したが、これに限らない。すなわち、サブコネクタ１０が、一以上の雌端子８０を収容することができればよい。
【００４０】
また、本発明の実施の形態のコネクタシステム１は、サブコネクタ１０が雌端子８０を収容するものを例示したが、これに限らない。すなわち、サブコネクタ１０が、雄端子を収容するようにしてもよい。
【００４１】
また、本発明の実施の形態のコネクタシステム１は、フレーム５０が三つのサブコネクタ１０を収容するものを例示したが、これに限らない。すなわち、フレーム５０が、二以上のサブコネクタ１０を収容することができればよい。
【００４２】
また、本発明の実施の形態のコネクタシステム１は、サブコネコネクタ収容室６０がフレーム５０の上下方向に設けられるものを例示したが、これに限らない、例えば、サブコネコネクタ収容室６０がフレーム５０の上下左右方向に並ぶようにしても設けられてもよい。
【００４３】
以上、本発明者によってなされた発明を、上述した発明の実施の形態に基づき具体的に説明したが、本発明は、上述した発明の実施の形態に限定されるものではなく、その要旨を逸脱しない範囲において種々変更可能である。
【符号の説明】
【００４４】
１      コネクタシステム
１０    サブコネクタ
１１    一型サブコネクタ
１２    二型サブコネクタ
１３    三型サブコネクタ
２０    本体部
２０ａ  側壁
２０ａａ  側壁外面
２０ｂ  サブコネクタ側係止部
２０ｃ  側壁外面側リブ
２０ｄ  上下面側リブ
２０ｆ  上面
２０ｇ  下面
２０ｅ  端子挿入側端
２１    端子収容室
２１ａ  ランス部
２２    サブコネクタ側ガイド部
２２ａ，２２ｂ  リブ状突起
３０    延出部
３０ａ  前端部
３１    延出基部
３１ａ  上縁
３１ｂ  下縁
３２    サブコネクタ側当接部
３２ａ  当接基部
３２ａａ  上側当接基部
３２ａｂ  下側当接基部
３２ｂ  リブ延在部
３３    指当て部
３４    肉抜け部
５０    フレーム
５０ａ  サブコネクタ挿入側端
５０ｂ  後端
５１    第一の仕切り壁
５２    第二の仕切り壁
５３    側壁
５３ａ  側壁内面
５４    上壁
５５    下壁
５６    隙間
６０    サブコネコネクタ収容室
６１    上段収容室
６２    中段収容室
６３    下段収容室
６４    フレーム側ガイド部
６４ａ，６４ｂ  リブ状突起
６５    フレーム側係止部
７０    フレーム側当接部
８０    雌端子
【図１】
2012182061.tif 000003
【図２】
2012182061.tif 000004
【図３】
2012182061.tif 000005
【図４】
2012182061.tif 000006
【図５】
2012182061.tif 000007
【図６】
2012182061.tif 000008
【図７】
2012182061.tif 000009
【図８】
2012182061.tif 000010
【図９】
2012182061.tif 000011
【図１０】
2012182061.tif 000012